(57)【特許請求の範囲】
【請求項１】
レンズを保持し前記レンズの光軸方向へ移動可能な可動体と、前記可動体を前記光軸方向へ移動可能に保持する固定体と、前記可動体を前記光軸方向へ駆動するための駆動機構と、前記可動体と前記固定体とを繋ぐ板バネとを備え、前記光軸方向から見たときの形状が略四角形状となるように形成されるレンズ駆動装置であって、
前記駆動機構は、前記可動体に固定される駆動用コイルと、前記固定体に固定され、前記レンズの径方向の外側で前記駆動用コイルに対向配置される駆動用磁石とを備えるとともに、前記駆動用磁石として、前記レンズ駆動装置の四隅のそれぞれに配置される第１駆動用磁石を備え、
前記固定体は、磁性材料で形成され、前記光軸方向における前記駆動用磁石の一方の端面を覆う端板部と前記径方向における前記駆動用コイルの内側に配置される内側ヨーク部とを有するヨーク部材と、前記ヨーク部材と別体で形成されるとともに磁性材料で形成され、前記可動体、前記駆動機構および前記板バネの外周側を覆うカバー部材とを備え、
前記カバー部材は、前記レンズ駆動装置の被写体側の端面を構成する被写体側端面部を備えるとともに、前記ヨーク部材の外周側を完全に覆っており、
前記光軸方向と直交する方向において、前記ヨーク部材と前記カバー部材との間に隙間が形成され、
前記端板部は、略枠状に形成され前記内側ヨーク部の被写体側端に繋がるとともに、前記光軸方向から見たときに前記被写体側端面部と重なっており、
前記光軸方向において、前記端板部と前記被写体側端面部との間に隙間が形成され、
前記駆動用コイルは、前記光軸方向から見たときの形状が略八角形状となるように巻回されて形成され、
略八角形状に形成される前記駆動用コイルの八辺のうちの四辺は、前記レンズ駆動装置の４つの側面のそれぞれと略平行になっており、前記駆動用コイルの八辺のうちの残りの四辺は、前記レンズ駆動装置の四隅に配置され、
前記内側ヨーク部は、前記端板部の内周端面から前記光軸方向へ立ち上る平板状に形成されるとともに、前記駆動用コイルを介して、前記第１駆動用磁石に対向配置され、
前記第１駆動用磁石の前記駆動用コイルとの対向面は、平面状に形成されていることを特徴とするレンズ駆動装置。
【請求項２】
前記駆動機構は、前記駆動用磁石として、前記レンズ駆動装置の４つの側面のそれぞれに沿って配置される第２駆動用磁石を備えることを特徴とする請求項１記載のレンズ駆動装置。
【請求項３】
前記第１駆動用磁石は、前記光軸方向から見たときの形状が略台形状となる柱状に形成され、
前記ヨーク部材は、前記径方向の外側から前記第１駆動用磁石を覆う外側ヨーク部を備えることを特徴とする請求項１または２記載のレンズ駆動装置。
【請求項４】
前記被写体側端面部に対する前記ヨーク部材の、前記光軸方向における位置決めを行うための位置決め部材を備え、
前記位置決め部材は、前記ヨーク部材と別体で形成されていることを特徴とする請求項１から３のいずれかに記載のレンズ駆動装置。
【請求項５】
請求項４に記載のレンズ駆動装置の製造方法であって、
前記被写体側端面部の反被写体側の面に、前記位置決め部材、前記板バネ、前記ヨーク部材および前記駆動用磁石をこの順番に順次積み重ねる組立工程を備えることを特徴とするレンズ駆動装置の製造方法。
【発明の詳細な説明】
【技術分野】
【０００１】
本発明は、携帯電話等で使用される比較的小型のカメラに搭載されるレンズ駆動装置、および、このレンズ駆動装置の製造方法に関する。
【背景技術】
【０００２】
従来、携帯電話等に搭載されるカメラの撮影用レンズを駆動するレンズ駆動装置として、レンズを保持して光軸方向に移動するホルダと、ホルダを光軸方向へ駆動する駆動用コイルおよび駆動用磁石とを備えるレンズ駆動装置が知られている（たとえば、特許文献１参照）。特許文献１に記載のレンズ駆動装置は、光軸方向から見たときの形状が正方形状となるように形成されている。このレンズ駆動装置は、板状に形成された８個の駆動用磁石を備えており、駆動用磁石は、レンズ駆動装置の四隅のそれぞれと、レンズ駆動装置の四辺のそれぞれに配置されている。また、このレンズ駆動装置では、駆動用コイルは、ホルダに固定されている。この駆動用コイルは、光軸方向から見たときの形状が八角形状となるように巻回されており、八角形状に巻回される駆動用コイルの各辺のそれぞれは、レンズ駆動装置の径方向の内側で、８個の駆動用磁石のそれぞれと対向している。
【０００３】
また、このレンズ駆動装置は、駆動用コイルおよび駆動用磁石の外周側を覆うヨークを備えている。このヨークは、レンズ駆動装置の径方向における８個の駆動用磁石の外側面を覆う八角筒状の外側ヨーク片と、レンズ駆動装置の径方向における駆動用コイルの内周側に配置される４個の内側ヨーク片を備えている。４個の内側ヨーク片は、レンズ駆動装置の四隅に配置される駆動用磁石の内側面に駆動用コイルを介して対向配置されている。なお、このレンズ駆動装置では、内側ヨーク片は、光軸方向から見たときの形状が円弧状なる曲板状に形成されている。
【０００４】
さらに、このレンズ駆動装置は、ホルダを光軸方向へ移動可能に保持するための上部板バネを備えている。この上部板バネは、ヨーク等に固定される外環部と、ホルダに固定される内環部と、外環部と内環部とを繋ぐ架橋部とから構成されている。このレンズ駆動装置のヨークは、外側ヨーク片と内側ヨーク片とが一体で形成されているため、ヨークの内部（すなわち、レンズ駆動装置の径方向における外側ヨーク片と内側ヨーク片との間）に外環部を配置すると、内側ヨーク片を避けるように架橋部を形成しなければならず、架橋部の形状が複雑になる。したがって、上部板バネは、ヨークの外側（ヨークよりも被写体側）に配置されている。また、このレンズ駆動装置では、上部板バネがヨークの外側に配置されているため、上部板バネを保護するためのカバーが設けられている。
【先行技術文献】
【特許文献】
【０００５】
【特許文献１】特開２００８−１９１３３２号公報
【発明の概要】
【発明が解決しようとする課題】
【０００６】
特許文献１に記載のレンズ駆動装置では、８個の駆動用磁石の外側面が外側ヨーク片によって覆われるとともに、レンズ駆動装置の四隅に配置される駆動用磁石の内側面に駆動用コイルを介して、内側ヨーク片が対向配置されているため、駆動用磁石で発生し駆動用コイルを通過する磁束の密度を高めることが可能である。しかしながら、このレンズ駆動装置では、ヨークが内側ヨーク片を備えているため、上部板バネの形状が複雑にならないように、上部板バネがヨークの外側に配置されている。その結果、このレンズ駆動装置では、上部板バネを保護するためのカバーが別途、必要になり、レンズ駆動装置の構成が複雑になる。
【０００７】
そこで、本発明の課題は、駆動用磁石で発生し駆動用コイルを通過する磁束の密度を高めることが可能で、かつ、可動体と固定体とを繋ぐ板バネを複雑な形状にしなくても、板バネを保護しつつ、構成を簡素化することが可能なレンズ駆動装置を提供することにある。また、本発明の課題は、かかるレンズ駆動装置の製造方法を提供することにある。
【課題を解決するための手段】
【０００８】
上記の課題を解決するため、本発明のレンズ駆動装置は、レンズを保持しレンズの光軸方向へ移動可能な可動体と、可動体を光軸方向へ移動可能に保持する固定体と、可動体を光軸方向へ駆動するための駆動機構と、可動体と固定体とを繋ぐ板バネとを備え、光軸方向から見たときの形状が略四角形状となるように形成されるレンズ駆動装置であって、駆動機構は、可動体に固定される駆動用コイルと、固定体に固定され、レンズの径方向の外側で駆動用コイルに対向配置される駆動用磁石とを備えるとともに、駆動用磁石として、レンズ駆動装置の四隅のそれぞれに配置される第１駆動用磁石を備え、固定体は、磁性材料で形成され、光軸方向における駆動用磁石の一方の端面を覆う端板部と径方向における駆動用コイルの内側に配置される内側ヨーク部とを有するヨーク部材と、ヨーク部材と別体で形成されるとともに磁性材料で形成され、可動体、駆動機構および板バネの外周側を覆うカバー部材とを備え、カバー部材は、レンズ駆動装置の被写体側の端面を構成する被写体側端面部を備えるとともに、ヨーク部材の外周側を完全に覆っており、光軸方向と直交する方向において、ヨーク部材とカバー部材との間に隙間が形成され、端板部は、略枠状に形成され内側ヨーク部の被写体側端に繋がるとともに、光軸方向から見たときに被写体側端面部と重なっており、光軸方向において、端板部と被写体側端面部との間に隙間が形成され、駆動用コイルは、光軸方向から見たときの形状が略八角形状となるように巻回されて形成され、略八角形状に形成される駆動用コイルの八辺のうちの四辺は、レンズ駆動装置の４つの側面のそれぞれと略平行になっており、駆動用コイルの八辺のうちの残りの四辺は、レンズ駆動装置の四隅に配置され、内側ヨーク部は、端板部の内周端面から光軸方向へ立ち上る平板状に形成されるとともに、駆動用コイルを介して、第１駆動用磁石に対向配置され、第１駆動用磁石の駆動用コイルとの対向面は、平面状に形成されていることを特徴とする。
【０００９】
本発明のレンズ駆動装置では、レンズの径方向における駆動用コイルの内側に内側ヨーク部が配置され、かつ、駆動用コイルおよび駆動用磁石を有する駆動機構の外周側が磁性材料で形成されるカバー部材に覆われている。そのため、本発明では、駆動用磁石で発生し駆動用コイルを通過する磁束の密度を高めることが可能になる。
【００１０】
また、本発明では、可動体、駆動機構および板バネの外周側を覆うカバー部材は、内側ヨーク部を有するヨーク部材と別体で形成されている。そのため、内側ヨーク部を避けた位置に、かつ、カバー部材の内部に板バネを配置することが可能になる。したがって、板バネの形状を複雑な形状にしなくても、カバー部材の内部に板バネを配置して、カバー部材によって板バネを保護することが可能になり、ヨークとして機能するカバー部材に加えて、板バネを保護するための部材を別途、設ける必要がなくなる。その結果、本発明では、板バネを複雑な形状にしなくても、板バネを保護しつつ、レンズ駆動装置の構成を簡素化することが可能になる。
【００１１】
また、本発明では、カバー部材によって、可動体、駆動機構および板バネの外周側が覆われているため、カバー部材によって、レンズ駆動装置の内部への異物の侵入を防止することが可能になる。なお、特許文献１に記載のレンズ駆動装置では、カバーの側面およびこのカバーに固定されるベースの側面に外側ヨーク片との干渉を防止するための開口部が形成されているため、このレンズ駆動装置では、カバーおよびベースを覆うケースを別途、設けなければ、レンズ駆動装置の内部への異物の侵入を防止することは困難である。
【００１２】
また、本発明では、端板部は、略枠状に形成され、内側ヨーク部は、端板部の内周端面から光軸方向へ立ち上る平板状に形成されているため、内側ヨーク部を曲げ加工で形成することが可能になる。したがって、内側ヨーク部の厚さを端板部の厚さと同じにすることが可能になり、内側ヨーク部での磁気飽和を抑制することが可能になる。なお、特許文献１に記載の内側ヨーク片のように、内側ヨーク部が曲板状に形成される場合には、内側ヨーク部は、絞り加工で形成されるため、その厚さが端板部の厚さよりも薄くなり、その結果、内側ヨーク部で磁気飽和が生じやすくなる。
【００１３】
また、本発明では、レンズ駆動装置は、光軸方向から見たときの形状が略四角形状となるように形成され、駆動機構は、駆動用磁石として、レンズ駆動装置の四隅のそれぞれに配置される第１駆動用磁石を備え、駆動用コイルは、光軸方向から見たときの形状が略八角形状となるように巻回されて形成され、略八角形状に形成される駆動用コイルの八辺のうちの四辺は、レンズ駆動装置の４つの側面のそれぞれと略平行になっており、駆動用コイルの八辺のうちの残りの四辺は、レンズ駆動装置の四隅に配置され、内側ヨーク部は、駆動用コイルを介して、第１駆動用磁石に対向配置され、第１駆動用磁石の駆動用コイルとの対向面は、平面状に形成されている。そのため、第１駆動用磁石の駆動用コイルとの対向面と、内側ヨーク部との距離を均等に保ちつつ、第１駆動用磁石の駆動用コイルとの対向面に対向する内側ヨーク部の対向面積を大きくすることが可能になる。したがって、駆動用磁石で発生し駆動用コイルを通過する磁束の密度を効果的に高めることが可能になる。
【００１４】
本発明において、駆動機構は、駆動用磁石として、レンズ駆動装置の４つの側面のそれぞれに沿って配置される第２駆動用磁石を備えることが好ましい。このように構成すると、駆動機構の駆動力を高めることが可能になる。
【００１５】
本発明において、第１駆動用磁石は、光軸方向から見たときの形状が略台形状となる柱状に形成され、ヨーク部材は、径方向の外側から第１駆動用磁石を覆う外側ヨーク部を備えることが好ましい。このように構成すると、デッドスペースとなりやすいレンズ駆動装置の四隅を利用して、外側ヨーク部を配置することができる。したがって、レンズ駆動装置を大型化させることなく、駆動用磁石で発生し駆動用コイルを通過する磁束の密度を効果的に高めることが可能になる。
【００１６】
本発明において、レンズ駆動装置は、被写体側端面部に対するヨーク部材の、光軸方向における位置決めを行うための位置決め部材を備え、位置決め部材は、ヨーク部材と別体で形成されていることが好ましい。このように構成すると、光軸方向において、ヨーク部材を精度良く位置決めすることが可能になる。
【００１７】
本発明のレンズ駆動装置は、たとえば、被写体側端面部の反被写体側の面に、位置決め部材、板バネ、ヨーク部材および駆動用磁石をこの順番に順次積み重ねる組立工程を備えるレンズ駆動装置の製造方法によって製造される。本発明のレンズ駆動装置では、ヨーク部材とカバー部材とが別体で形成されているため、位置決め部材、板バネ、ヨーク部材および駆動用磁石をこの順番でカバー部材の中に積み重ねることで、光軸方向におけるこれらの部材の位置決めやこれらの部材同士の固定を簡単に行うことが可能になる。したがって、レンズ駆動装置の組立を容易に行うことが可能になる。
【発明の効果】
【００１８】
以上のように、本発明のレンズ駆動装置では、駆動用磁石で発生し駆動用コイルを通過する磁束の密度を高めることが可能で、かつ、可動体と固定体とを繋ぐ板バネを複雑な形状にしなくても、板バネを保護しつつ、構成を簡素化することが可能になる。また、本発明のレンズ駆動装置の製造方法によれば、レンズ駆動装置の組立を容易に行うことが可能になる。
【図面の簡単な説明】
【００１９】
【図１】本発明の実施の形態にかかるレンズ駆動装置の斜視図である。
【図２】図１のＥ−Ｅ断面の断面図である。
【図３】図１に示すレンズ駆動装置の分解斜視図である。
【図４】図１に示すレンズ駆動装置からカバー部材およびスペーサを取り外した状態の斜視図である。
【図５】図２に示す駆動機構およびヨーク部材を反被写体側から示す底面図である。
【図６】本発明の他の実施の形態にかかるヨーク部材の構成を説明するための断面図である。
【発明を実施するための形態】
【００２０】
以下、図面を参照しながら、本発明の実施の形態を説明する。
【００２１】
（レンズ駆動装置の概略構成）
図１は、本発明の実施の形態にかかるレンズ駆動装置１の斜視図である。図２は、図１のＥ−Ｅ断面の断面図である。図３は、図１に示すレンズ駆動装置１の分解斜視図である。なお、以下の説明では、図１等に示すように、互いに直交する３方向のそれぞれをＸ方向、Ｙ方向およびＺ方向とし、Ｘ方向を左右方向、Ｙ方向を前後方向、Ｚ方向を上下方向とする。また、図１等のＺ１方向側を「上」側、Ｚ２方向側を「下」側とする。
【００２２】
本形態のレンズ駆動装置１は、携帯電話、ドライブレコーダあるいは監視カメラシステム等で使用される比較的小型のカメラに搭載されるものであり、図１に示すように、全体として扁平な略四角柱状に形成されている。具体的には、レンズ駆動装置１は、撮影用のレンズの光軸Ｌの方向（光軸方向）から見たときの形状が略正方形状となるように形成されている。また、レンズ駆動装置１の４つの側面は、左右方向または前後方向と略平行になっている。
【００２３】
本形態では、Ｚ方向（上下方向）が光軸方向とほぼ一致している。また、本形態のレンズ駆動装置１が搭載されるカメラでは、下側に図示を省略する撮像素子が配置されており、上側に配置される被写体が撮影される。すなわち、本形態では、上側（Ｚ１方向側）は被写体側（物体側）であり、下側（Ｚ２方向側）は反被写体側（撮像素子側、像側）である。
【００２４】
レンズ駆動装置１は、図１、図２に示すように、撮影用のレンズを保持し光軸方向へ移動可能な可動体２と、可動体２を光軸方向へ移動可能に保持する固定体３と、可動体２を光軸方向へ駆動するための駆動機構４とを備えている。また、レンズ駆動装置１は、可動体２と固定体３とを繋ぐ板バネ５、６（図２参照）を備えている。すなわち、可動体２は、板バネ５、６を介して固定体３に移動可能に保持されている。本形態では、板バネ５が可動体２の上端側に配置され、板バネ６が可動体２の下端側に配置されている。なお、図３では、板バネ５、６の図示を省略している。
【００２５】
可動体２は、複数のレンズが固定されたレンズホルダ７を保持するスリーブ８を備えている。固定体３は、レンズ駆動装置１の側面を構成するカバー部材１０と、レンズ駆動装置１の反被写体側の端面を構成するベース部材１１と、板バネ５の一部が固定されるスペーサ１２と、カバー部材１０と別体で形成されるとともに磁性材料で形成されたヨーク部材１３とを備えている。なお、図２、図３では、レンズホルダ７の図示を省略している。
【００２６】
レンズホルダ７は、略円筒状に形成されている。このレンズホルダ７の内周側には、光軸方向から見たときの形状が円形状となる複数のレンズが固定されている。以下では、このレンズの径方向を「径方向」とする。
【００２７】
スリーブ８は、たとえば、樹脂材料で形成されるとともに、略筒状に形成されている。図３に示すように、スリーブ８の内周面は、光軸方向から見たときの形状が略円形状となるように形成されている。スリーブ８の上端側の外周面は、光軸方向から見たときの形状が略円形状となるように形成されている。スリーブ８の下端側の外周面は、光軸方向から見たときの形状が略八角形状となるように形成されている。スリーブ８の下端側の外周面を構成する８つの側面のうちの４つの側面は、レンズ駆動装置１の４つの側面のそれぞれと略平行になるように配置され、スリーブ８の下端側の外周面を構成する８つの側面のうちの残りの４つの側面は、前後方向および左右方向に対して略４５°傾いた状態でレンズ駆動装置１の四隅に配置されている。また、スリーブ８の下端部分には、径方向の外側へ広がる略八角形状の鍔部８ａが形成されている。スリーブ８の内周面には、レンズホルダ７の外周面が固定されている。
【００２８】
カバー部材１０は、磁性材料で形成されている。また、カバー部材１０は、底部１０ａと筒部１０ｂとを有する底付きの略四角筒状に形成されている。上側に配置される底部１０ａは、レンズ駆動装置１の被写体側の端面を構成している。すなわち、本形態の底部１０ａは、レンズ駆動装置１の被写体側の端面を構成する被写体側端面部である。底部１０ａの中心には、貫通孔１０ｃが形成されている。カバー部材１０は、可動体２、駆動機構４および板バネ５、６の外周側を覆っている。本形態では、カバー部材１０は、可動体２、駆動機構４および板バネ５、６の外周側をほぼ完全に覆っている。また、本形態では、カバー部材１０は、スペーサ１２およびヨーク部材１３の外周側を完全に覆っている。
【００２９】
ベース部材１１は、たとえば、樹脂材料で形成されている。また、ベース部材１１は、光軸方向から見たときの形状が略正方形となるブロック状に形成されている。このベース部材１１は、カバー部材１０の下端側に取り付けられている。ベース部材１１の中心には、貫通孔１１ａが形成されている。
【００３０】
スペーサ１２は、たとえば、樹脂材料で形成されるとともに、略正方形の扁平なブロック状に形成されている。また、スペーサ１２の中心には、光軸方向から見たときの形状が略八角形状となる貫通孔１２ａが形成されており、スペーサ１２は、枠状に形成されている。スペーサ１２は、カバー部材１０の底部１０ａの下面に固定されている。
【００３１】
板バネ５は、スリーブ８の上端側に固定される円環状の可動体固定部と、スペーサ１２とヨーク部材１３との間に固定される固定体固定部と、可動体固定部と固定体固定部とを繋ぐ複数の腕部とを備えている。この板バネ５は、その厚さ方向と光軸方向とが略一致するように、スリーブ８、スペーサ１２およびヨーク部材１３に固定されている。板バネ６は、スリーブ８の下端側に固定される可動体固定部と、ベース部材１１に固定される固定体固定部と、可動体固定部と固定体固定部とを繋ぐ腕部とを備えている。板バネ６は、その厚さ方向と光軸方向とが略一致するように、スリーブ８およびベース部材１１に固定されている。なお、板バネ６は、２個のバネ片に電気的に分割されており、駆動機構４を構成する後述の駆動用コイル１５への給電端子の機能も併せ持っている。
【００３２】
（駆動機構およびヨーク部材の構成）
図４は、図１に示すレンズ駆動装置１からカバー部材１０およびスペーサ１２を取り外した状態の斜視図である。図５は、図２に示す駆動機構４およびヨーク部材１３を反被写体側から示す底面図である。
【００３３】
駆動機構４は、スリーブ８の外周側に固定される駆動用コイル１５と、レンズ駆動装置１の四隅のそれぞれに配置される第１駆動用磁石としての駆動用磁石１７と、レンズ駆動装置１の４つの側面のそれぞれに沿って配置される第２駆動用磁石としての駆動用磁石１８とを備えている。
【００３４】
駆動用コイル１５は、光軸方向から見たときの形状が略八角形状となるように巻回されて形成されている。この駆動用コイル１５は、図３に示すように、スリーブ８の鍔部８ａの上面に固定されている。具体的には、駆動用コイル１５は、前後方向または左右方向と略平行に配置される４個の長辺部１５ａと、長辺部１５ａよりも短く形成され、前後方向および左右方向に対して略４５°傾いた状態で配置される４個の短辺部１５ｂとによって構成されており、長辺部１５ａがレンズ駆動装置１の４つの側面のそれぞれと略平行になり、かつ、短辺部１５ｂがレンズ駆動装置１の四隅に配置されるように、駆動用コイル１５は、鍔部８ａの上面に固定されている。すなわち、略八角形状に形成される駆動用コイル１５の八辺のうちの四辺のそれぞれがレンズ駆動装置１の４つの側面のそれぞれと略平行になり、かつ、駆動用コイル１５の八辺のうちの残りの四辺のそれぞれがレンズ駆動装置１の四隅のそれぞれに配置されるように、駆動用コイル１５は、鍔部８ａの上面に固定されている。
【００３５】
長辺部１５ａの内側面は、レンズ駆動装置１の４つの側面のそれぞれと略平行に配置されるスリーブ８の下端側の４つの側面に当接している。短辺部１５ｂの内側面と、レンズ駆動装置１の四隅に配置されるスリーブ８の下端側の４つの側面との間には、隙間Ｓが形成されている（図３参照）。
【００３６】
駆動用磁石１７は、光軸方向から見たときの形状が略等脚台形状となる柱状に形成されており、図５に示すように、互いに略平行な平面状の２個の平行面１７ａ、１７ｂと、平行面１７ａ、１７ｂに対して傾斜する平面状の２個の傾斜面１７ｃとを備えている。平行面１７ａは、平行面１７ｂよりもその面積が広くなるように形成されている。駆動用磁石１７は、駆動用コイル１５の短辺部１５ｂの外側面と平行面１７ａとが対向するように、カバー部材１０の筒部１０ｂの四隅の内側面等に固定されており、駆動用磁石１７は、径方向の外側で駆動用コイル１５に対向配置されている。本形態の平行面１７ａは、駆動用磁石１７の駆動用コイル１５との対向面である。
【００３７】
駆動用磁石１８は、略矩形の板状に形成されている。具体的には、駆動用磁石１８は、光軸方向から見たときの形状が扁平な長方形状となる略矩形の板状に形成されている。この駆動用磁石１８は、駆動用コイル１５の長辺部１５ａの外側面に対向するようにカバー部材１０の筒部１０ｂの内側面等に固定されており、駆動用磁石１８は、径方向の外側で駆動用コイル１５に対向配置されている。光軸方向における駆動用磁石１８の長さは、光軸方向における駆動用磁石１７の長さと略等しくなっている。
【００３８】
ヨーク部材１３は、駆動用磁石１７、１８の上端面を覆うように配置される端板部１３ａと、径方向における駆動用コイル１５の内側に配置される内側ヨーク部１３ｂとを備えている。ヨーク部材１３は、磁性材料からなる金属板をプレス加工することで形成される。具体的には、ヨーク部材１３は、プレスによる抜き加工とプレスによる曲げ加工で形成される。
【００３９】
端板部１３ａは、光軸方向に略直交する平板状に形成されている。また、端板部１３ａは、略枠状に形成されている。具体的には、端板部１３ａは、外周端面の形状が略正方形状となり、内周端面の形状が略八角形状となる略枠状に形成されている。略八角形状に形成される端板部１３ａの内周端面の八辺のうちの四辺のそれぞれは、レンズ駆動装置１の４つの側面のそれぞれと略平行に配置され、端板部１３ａの内周端面の八辺のうちの残りの四辺のそれぞれは、前後方向および左右方向に対して略４５°傾いた状態でレンズ駆動装置１の四隅のそれぞれに配置されている。端板部１３ａの下面には、駆動用磁石１７、１８の上端面が当接している。なお、端板部１３ａの外周端面の四隅の角は、面取りされている。
【００４０】
内側ヨーク部１３ｂは、略長方形または略正方形の平板状に形成されている。また、内側ヨーク部材１３ｂは、端板部１３ａの内周端面から光軸方向へ立ち上るように形成されている。具体的には、内側ヨーク部材１３ｂは、レンズ駆動装置１の四隅に配置される端板部１３ａの内周端面の四辺のそれぞれから下側に向かって立ち上るように形成されている。内側ヨーク部１３ｂは、レンズ駆動装置１の四隅に配置されるスリーブ８の下端側の４つの側面と、駆動用コイル１５の短辺部１５ｂの内側面との間に形成される隙間Ｓの中に配置されている。すなわち、内側ヨーク部１３ｂは、径方向における短辺部１５ｂの内側に配置され、短辺部１５ｂを介して、駆動用磁石１７に対向配置されている。光軸方向における内側ヨーク部１３ｂの長さは、光軸方向における駆動用磁石１７の長さよりも短くなっている。
【００４１】
ヨーク部材１３の上面は、スペーサ１２の下面に固定されている。また、ヨーク部材１３の上面は、板バネ５の固定体固定部の下面に当接している。板バネ５の固定体固定部の上面は、スペーサ１２の下面に当接している。本形態では、スペーサ１２は、光軸方向において、カバー部材１０の底部１０ａに対して、ヨーク部材１３を位置決めする機能を果たしており、本形態のスペーサ１２は、底部１０ａに対するヨーク部材１３の、光軸方向における位置決めを行うための位置決め部材である。また、本形態では、カバー部材１０およびヨーク部材１３は、駆動機構４の磁気回路を形成するためのヨークの機能を果たしている。
【００４２】
（レンズ駆動装置の製造方法）
以上のように構成されたレンズ駆動装置１の製造時には、カバー部材１０を上下反転させた状態で、カバー部材１０の反被写体側から、カバー部材１０の底部１０ａに、スペーサ１２、板バネ５、ヨーク部材１３および駆動用磁石１７、１８をこの順番で順次、積み重ねて組み立てる（組立工程）。また、その後、スリーブ８、板バネ６およびベース部材１１を取り付ける。
【００４３】
（本形態の主な効果）
以上説明したように、本形態では、径方向における駆動用コイル１５の内側に内側ヨーク部１３ｂが配置され、また、駆動用コイル１５および駆動用磁石１７、１８の外周側がカバー部材１０に覆われている。そのため、本形態では、駆動用磁石１７で発生し駆動用コイル１５を通過する磁束の密度を高めることができる。
【００４４】
本形態では、カバー部材１０とヨーク部材１３とが別体で形成されている。そのため、内側ヨーク部１３ｂを避けた位置に（具体的には、ヨーク部材１３の上側に）、かつ、カバー部材１０の内部に板バネ５を配置することができる。したがって、板バネ５の腕部の形状を複雑な形状にしなくても、カバー部材１０の内部に板バネ５を配置して、カバー部材１０によって板バネ５を保護することが可能になり、ヨークとして機能するカバー部材１０に加えて、板バネ５を保護するための部材を別途、設ける必要がない。その結果、本形態では、板バネ５を複雑な形状にしなくても、板バネ５を保護しつつ、レンズ駆動装置１の構成を簡素化することが可能になる。
【００４５】
また、本形態では、カバー部材１０とヨーク部材１３とが別体で形成されているため、上述のように、カバー部材１０の反被写体側から、カバー部材１０の底部１０ａに、スペーサ１２、板バネ５、ヨーク部材１３および駆動用磁石１７、１８をこの順番で順次、積み重ねることで、光軸方向におけるこれらの部材の位置決めやこれらの部材同士の固定を簡単に行うことが可能になる。したがって、本形態では、レンズ駆動装置１の組立が容易になる。
【００４６】
本形態では、カバー部材１０によって、可動体２、駆動機構４、板バネ５、６、スペーサ１２およびヨーク部材１３の外周側が覆われている。そのため、カバー部材１０によって、レンズ駆動装置１の内部への異物の侵入を防止することが可能になる。
【００４７】
本形態では、端板部１３ａの内周端面から立ち上るように形成される内側ヨーク部１３ｂが平板状に形成されている。そのため、内側ヨーク部１３ｂを曲げ加工で形成することができる。したがって、本形態では、内側ヨーク部１３ｂの厚さを端板部１３ａの厚さと同じにすることが可能になり、内側ヨーク部１３ｂでの磁気飽和を抑制することが可能になる。なお、特許文献１に記載の内側ヨーク片のように、内側ヨーク部１３ｂが曲板状に形成される場合には、内側ヨーク部１３ｂは、絞り加工で形成されるため、その厚さが端板部１３ａの厚さよりも薄くなり、その結果、内側ヨーク部１３ｂで磁気飽和が生じやすくなる。
【００４８】
また、本形態では、内側ヨーク部１３ｂが平板状に形成されるとともに、駆動用コイル１５を介して内側ヨーク部１３ｂに対向配置される駆動用磁石１７の平行面１７ａは、平面状に形成されている。そのため、平行面１７ａと内側ヨーク部１３ｂとの距離を均等に保ちつつ、平行面１７ａに対向する内側ヨーク部１３ｂの対向面積を大きくすることが可能になる。したがって、本形態では、駆動用磁石１７で発生し駆動用コイル１５を通過する磁束の密度を効果的に高めることが可能になる。
【００４９】
本形態では、光軸方向において、カバー部材１０の底部１０ａに対して、ヨーク部材１３を位置決めする機能を果たすスペーサ１２が、ヨーク部材１３ｂと別体で形成されている。そのため、本形態では、光軸方向において、ヨーク部材１３を精度良く位置決めすることが可能になる。
【００５０】
（他の実施の形態）
上述した形態は、本発明の好適な形態の一例ではあるが、これに限定されるものではなく本発明の要旨を変更しない範囲において種々変形実施が可能である。
【００５１】
上述した形態では、ヨーク部材１３は、径方向における駆動用コイル１５の内側に配置される内側ヨーク部１３ｂを備えている。この他にもたとえば、ヨーク部材１３は、図６に示すように、内側ヨーク部１３ｂに加え、径方向の外側から駆動用磁石１７の平行面１７ｂを覆う外側ヨーク部１３ｃを備えていても良い。この場合には、デッドスペースとなりやすいレンズ駆動装置１の四隅を利用して、外側ヨーク部１３ｃを配置することができるため、レンズ駆動装置１を大型化させることなく、駆動用磁石１７で発生し駆動用コイル１５を通過する磁束の密度を効果的に高めることが可能になる。
【００５２】
上述した形態では、ヨーク部材１３は、駆動用磁石１７に対向配置される内側ヨーク部１３ｂを備えている。この他にもたとえば、ヨーク部材１３は、内側ヨーク部１３ｂに加えて、または、内側ヨーク部１３ｂに代えて、径方向における駆動用コイル１５の内側に配置されるとともに駆動用磁石１８に対向配置される内側ヨーク部を備えていても良い。
【００５３】
上述した形態では、内側ヨーク部１３ｂは、平板状に形成されているが、内側ヨーク部１３ｂは、曲板状に形成されても良い。この場合には、たとえば、駆動用磁石１７の平行面１７ａが曲面状に形成され、駆動用コイル１５の平行面１７ａとの対向部分が曲面状に形成されても良い。
【００５４】
上述した形態では、駆動機構４は、１個の駆動用コイル１５を備えているが、駆動機構４は、２個の駆動用コイル１５を備えていても良い。この場合には、駆動用磁石１７の駆動用コイル１５との対向面、および、駆動用磁石１８の駆動用コイル１５との対向面は、２極に着磁される。また、上述した形態では、レンズ駆動装置１は、光軸方向から見たときの形状が略正方形状となるように形成されているが、レンズ駆動装置１は、光軸方向から見たときの形状が略長方形状となるように形成されても良い。
【符号の説明】
【００５５】
１  レンズ駆動装置
２  可動体
３  固定体
４  駆動機構
５  板バネ
１０  カバー部材
１０ａ  底部（被写体側端面部）
１２  スペーサ（位置決め部材）
１３  ヨーク部材
１３ａ  端板部
１３ｂ  内側ヨーク部
１３ｃ  外側ヨーク部
１５  駆動用コイル
１７  駆動用磁石（第１駆動用磁石）
１７ａ  平行面（駆動用コイルとの対向面）
１８  駆動用磁石（第２駆動用磁石）
Ｌ  光軸
Ｚ  光軸方向
【図１】
0006030287.tif 000002
【図２】
0006030287.tif 000003
【図３】
0006030287.tif 000004
【図４】
0006030287.tif 000005
【図５】
0006030287.tif 000006
【図６】
0006030287.tif 000007